(57)【要約】【課題】複数の収納庫２３ａ〜２３ｄに残っている紙葉類を全て回収する際に、係員の回収作業の手間を削減できる紙葉類取扱装置１０を提供し、係員の満足度を向上させることを目的とする。【解決手段】主に紙葉類の受け入れや払い出しを行う紙葉類取扱装置１０であって、各収納庫に集積されている紙葉類を回収する回収操作入力を係員から受け付ける入力部１ｂを備え、前記制御部２０は、前記回収操作入力を受け付けると、前記各収納庫に分散して収納されている各紙葉類をすべて繰り出し搬送して前記回収庫に集約する集約回収処理を実行する構成であることを特徴とする。【選択図】図６
2010129002.tif 000002
【特許請求の範囲】
【請求項１】
紙葉類の受け入れに使用される入金口と、
該紙葉類の払い出しに使用される出金口と、
該紙葉類の種別と枚数を判別する識別部と、
前記各部位の間をつなぎ該紙葉類を搬送する搬送路と、
該識別部で判別した結果に応じて紙葉類の集積先を切り替える切替部と、
該識別部で判別した結果により払い出しに適さないと判断した紙葉類を回収する回収庫と、
受け入れた紙葉類や払い出す紙葉類を収納する複数の収納庫と、
各部位を制御する制御部と、を有して、主に紙葉類の受け入れや払い出しを行う紙葉類取扱装置であって、
各収納庫に集積されている紙葉類を回収する回収操作入力を係員から受け付ける操作入力受付部を備え、
前記制御部は、前記回収操作入力を受け付けると、前記各収納庫に分散して収納されている各紙葉類をすべて繰り出し搬送して前記回収庫に集約する集約回収処理を実行する構成である
紙葉類取扱装置。
【請求項２】
前記回収庫は、
異サイズの紙葉類を積層して収納する構成である
請求項１記載の紙葉類取扱装置。
【請求項３】
前記操作入力受付部は、
前記集積処理の際にリジェクト紙幣を出金口と回収庫のいずれに搬送するか選択させる選択入力を受け付ける構成であり、
前記制御部が実行する前記集約回収処理は、
前記各収納庫から繰り出した紙葉類を前記識別部へ搬送して該識別部で判別し、該判別によりリジェクト紙幣と判定した紙葉類を前記出金口と前記回収庫のうち選択入力により選択された方へ搬送し、リジェクト紙幣でないと判定した紙葉類を前記回収庫に集約する構成である
請求項１または２記載の紙葉類取扱装置
【請求項４】
前記操作入力受付部は、
前記集約回収処理にて前記各収納庫から紙葉類を集約するにあたって、該集約回収処理の前に既に回収庫に回収している紙葉類と、前記各収納庫から集約する紙葉類とが混ざってもよいか否かの混合可否選択を許容する構成である
請求項１、２または３記載の紙葉類取扱装置
【請求項５】
前記操作入力受付部は、
既に回収庫に回収している紙葉類と前記各収納庫から前記回収庫に集約する紙葉類とを区別する間仕切り紙を使用するか否かの間仕切り紙要否選択を受け付ける構成であり、
前記制御部は、
前記集約回収処理にて前記各収納庫から紙葉類を集約する前に前記操作入力受け付け部により間仕切り紙要否選択を受け付け、
該間仕切り紙要否選択の結果が間仕切り紙必要であれば間仕切り紙を前記回収庫へ集積する間仕切り紙集積処理を実行してから前記集約回収処理を実行し、間仕切り紙が不要であれば間仕切り紙を前記回収庫へ集積せずに前記集約回収処理を実行する
紙葉類取扱装置。
【請求項６】
前記制御部が実行する間仕切り紙集積処理は、
前記入金口に投入された間仕切り紙を繰り出して搬送し前記回収庫に集積する構成である
請求項５記載の紙葉類取扱装置
【請求項７】
情報の報知を行う報知部を備え、
前記制御部は、
前記集約回収処理を途中で中断した場合に中断情報を前記報知部により報知する中断情報報知処理と、
前記各収納庫にまだ回収できていない紙葉類がある場合に回収を継続する回収継続情報を前記報知部により報知する回収継続情報報知処理とを実行する構成である。
請求項１から６のいずれか１つに記載の紙葉類取扱装置。
【発明の詳細な説明】
【技術分野】
【０００１】
この発明は、例えば紙葉類を取り扱うような紙葉類取扱装置に関し、特に金融機関等の窓口に設置されて窓口対応者によって使用されるような紙葉類取扱装置に関する。
【背景技術】
【０００２】
従来、様々な紙葉類取扱装置が提案されている（特許文献１、２参照）。  
特許文献１記載の還流式紙幣処理装置は、補充・回収するカセットがないタイプである。このような還流式紙幣処理装置は、銀行で一日の窓口業務が終了して装置内の紙葉類が回収される場合に、通常、各カセット内の紙幣が人の手によりカセット毎に回収されることを許容するか、出金口に１００枚ずつ紙幣を搬送して回収を許容する。
【０００３】
特許文献２記載の紙幣取扱装置は、装置の大型化を抑制しつつ、紙幣の磨耗状態を考慮した入出金を可能とするものである。この特許文献２は、リジェクト庫を紙幣の回収庫にも使用できることが記載されている。
【０００４】
しかし、前者の還流式紙幣処理装置は、カセット毎に回収する方法の場合、各収納庫内すべてに少量枚の紙幣が残っているような状態でも全ての収納庫を装置から抜き、紙葉類を回収する必要があった。また、出金口に紙幣を搬送して回収する場合、出金口の容量が収納庫の容量に比べて少ないことから複数回に分割して出金口から紙幣を手で抜き取る必要があった。このため、窓口対応者は、回収作業中、常に装置に張り付いていなければならなかった。
【０００５】
また、後者の紙幣取扱装置の場合、リジェクト庫を回収庫として利用できるとの記載があるものの、どのようにして回収庫として利用するのか不明であった。このため、窓口対応者などの係員の回収作業の手間を軽減するような構造や方法は特に提案されていなかった。
【特許文献１】特開２００８−１３４７４８号公報
【特許文献２】特開２００５−１８７０９号公報
【発明の開示】
【発明が解決しようとする課題】
【０００６】
この発明は、上述した問題に鑑み、複数の収納庫に残っている紙葉類を全て回収する際に、係員の回収作業の手間を削減できる紙葉類取扱装置を提供し、係員の満足度を向上させることを目的とする。
【課題を解決するための手段】
【０００７】
この発明は、紙葉類の受け入れに使用される入金口と、該紙葉類の払い出しに使用される出金口と、該紙葉類の種別と枚数を判別する識別部と、前記各部位の間をつなぎ該紙葉類を搬送する搬送路と、該識別部で判別した結果に応じて紙葉類の集積先を切り替える切替部と、該識別部で判別した結果により払い出しに適さないと判断した紙葉類を回収する回収庫と、受け入れた紙葉類や払い出す紙葉類を収納する複数の収納庫と、各部位を制御する制御部と、を有して、主に紙葉類の受け入れや払い出しを行う紙葉類取扱装置であって、各収納庫に集積されている紙葉類を回収する回収操作入力を係員から受け付ける操作入力受付部を備え、前記制御部は、前記回収操作入力を受け付けると、前記各収納庫に分散して収納されている各紙葉類をすべて繰り出し搬送して前記回収庫に集約する集約回収処理を実行する構成である紙葉類取扱装置であることを特徴とする。  
好ましい態様として、前記回収庫は、異サイズの紙葉類を積層して収納する構成とすることができる。
【発明の効果】
【０００８】
この発明により、複数の収納庫に残っている紙葉類を全て回収する際に、係員の回収作業の手間を削減できる紙葉類取扱装置を提供することができる。
【発明を実施するための最良の形態】
【０００９】
この発明の一実施形態を以下図面と共に説明する。  
図１は、本発明の一実施形態である紙葉類取扱装置の構成図である。この実施例では、紙葉類として紙幣を使用する場合について説明する。
【００１０】
１は窓口対応者が顧客情報や取引情報などを扱うための窓口端末装置である。この窓口端末装置１は、ＣＲＴや液晶ディスプレイ等で構成される報知部としての表示部１ａ、キーボードはマウス等で構成される入力部１ｂ、通信線３で接続された紙葉類搬送装置２と通信する通信部、ＣＰＵ等で構成される制御部、およびハードディスク等で構成される記憶部が備えられている。
【００１１】
２は紙幣の払い出しや預け入れや整理を行う紙葉類搬送装置である。この紙葉類搬送装置２は、通信線３によって２台の窓口端末装置１と接続されている。この紙葉類搬送装置２は、さらに装置の状態を監視するための管理端末装置９と接続することも可能である。
【００１２】
紙葉類搬送装置２は、スタートボタン４、入金口５、出金口６、および返却口７を備えている。スタートボタン４は、紙幣の預け入れや整理を開始する際に窓口対応者が押下するスタートボタンである。入金口５は、窓口対応者が紙幣の預け入れや整理をする際に紙葉類搬送装置２内に紙幣を取り込むための入金口である。出金口６は、窓口対応者が紙幣の払い出し、あるいは整理をした際に紙葉類搬送装置２から紙幣を取り出すための出金口である。返却口７は、預け入れや整理の際に発生したリジェクト券を窓口対応者に返却するための返却口である。占有ランプ８は、いずれかの窓口端末装置１によって占有されていることを示すランプである。
【００１３】
これらの窓口端末装置１、管理端末装置９、紙葉類搬送装置２により、紙葉類取扱装置１０が構成されている。
【００１４】
図２は、紙葉類搬送装置２の概略図を示す。  
２１は計数した紙幣を一時的に集積する一時保留部、２２は紙幣の金種、真偽、向き、損傷の程度を判別する識別部、２３ａ〜２３ｄは紙幣を種類別に集積する収納庫、２４は識別部２２によってリジェクトされた紙幣を収納する回収庫、２５は入金口５、識別部２２、一時保留部２１、出金口６、返却口７をループして紙幣を搬送する上部搬送路、２６は上部搬送路２５から収納庫２３ａ〜２３ｄおよび回収庫２４の上を経由して再び上部搬送路２５へと紙幣を搬送する下部搬送路、２７は入金口５から上部搬送路２５へと紙幣を搬送する入金口搬送路、２８は上部搬送路２５から出金口６へと紙幣を搬送する出金口搬送路、２９は上部搬送路２５から返却口７へと紙幣を搬送する返却口搬送路、３０は上部搬送路２５から一時保留部２１へと紙幣を搬送する一時保留部収納搬送路、３１は一時保留部２１から上部搬送路２５へと紙幣を搬送する一時保留部繰出搬送路、３２ａ〜３２ｄは下部搬送路２６から収納庫２３ａ〜２３ｄへと紙幣を搬送する収納庫収納搬送路、３３ａ〜３３ｄは収納庫２３ａ〜２３ｄから下部搬送路２６へと紙幣を搬送する収納庫繰出搬送路、３４は下部搬送路２６から回収庫２４へと紙幣を搬送する回収庫搬送路、３５は紙幣が通過するのを検知する通過センサ、３６は紙幣を搬送する方向を切り替えるゲート、３７は入金口５に紙幣があるか否かを検知する入金口紙葉類検知センサ、３８は出金口６に紙幣があるか否かを検知する出金口紙葉類検知センサ、３９は返却口７に紙幣があるか否かを検知する返却口紙葉類検知センサである。
【００１５】
図３は、回収庫２４の概略図を示す。  
回収庫２４は、収納庫２３ａ〜２３ｄと同様に、紙葉類を図示左側に片寄せして整列させた状態で且つ平積みで集積可能であり、収納庫２３ａ〜２３ｄと同等量の紙葉類を集積するためのスペースを持つ。５２は紙幣を回収庫２４内に集積するための搬送路（入口）、５０は紙葉類を積み上げるための押圧板であり、集積する紙葉類の量に応じて上下移動が可能である。５１ａ、５１ｂは押圧板の位置まで紙葉類を移動させるためのローラである。
【００１６】
この構成により、搬送路５２から回収庫２４内に搬送されてきた紙幣は、ローラ５１ａ、５１ｂによって回収庫２４内に放出され、図示左側の側壁５３に端部が衝突し押圧板５０の上方に整列する。このとき、紙幣のサイズ（特に紙幣の搬送方向のサイズ）に関わらず側壁５３側に紙幣を片寄せして上下に積層して整列収納できるため、異サイズ紙幣を綺麗に整列して積層状態で回収することができる。
【００１７】
図４は、紙葉類搬送装置２の制御ブロック図を示す。  
紙葉類搬送装置２の制御部２０は、業務処理部２ａ、搬送処理部２ｂから構成される。１０１は２台の窓口端末装置１および管理端末装置９の排他制御や各部位を制御する業務処理主制御部、１０２は窓口端末装置１および管理端末装置９との通信を制御する上位通信制御部、１０３は窓口対応者の操作入力を受け付けるボタン制御部、１０４はブザー音を鳴らすブザー制御部、１０５はランプの点灯／消滅を制御するランプ制御部、１０６は標示器を制御する標示器制御部、１０７は搬送処理部２ｂとの通信を制御する下位通信制御部、１０８は時計の制御を行う時計制御部、１０９は業務処理部２ａの設定情報を記憶するための記憶部である。
【００１８】
また、１１０は紙幣の搬送を制御する搬送処理主制御部、１１１は業務処理部２ａとの通信を制御する上位通信制御部、１１２はセンサ制御部、１１３はゲート制御部、１１４は搬送モータ制御部、１１５は搬送路移動量計数部、１１６は紙幣の判別を行う識別処理部、１１７は入金口制御部、１１８は出金口制御部、１１９は収納庫制御部、１２０は一時保留庫制御部、１２１は搬送処理２ｂの設定情報や最初に識別した紙幣の識別結果を記憶するための記憶部である。
【００１９】
以下、紙葉類搬送装置で精査（回収）時の処理について、図５、図６のフローチャートを用いて説明する。  
図５、図６は、精査（回収）時の窓口端末装置１の動作を示す動作フロー図である。図７は、窓口端末装置１，２の表示部に表示する係員操作通知画面のイメージ図を示す。
【００２０】
窓口端末装置１は、窓口対応者の操作入力による回収開始操作を入力部により受け付けると、紙葉類搬送装置２内の各収納庫２３ａ〜２３ｄ及び回収庫２４内の媒体有無の状態を取得（ステップＳ１０１）し、その状態を記憶する（ステップＳ１０２）。回収庫２４内に媒体があれば（ステップＳ１０３：Ｙｅｓ）、窓口端末装置１は、回収庫２４に媒体がある事を窓口対応者に通知するための回収庫残存通知画面２０３（図７（Ｄ）参照）を表示部に表示し、回収庫２４内に媒体がなければ（ステップＳ１０３：Ｎｏ）、ステップＳ１０６へ処理を進める。この回収庫残存通知画面２０３により、運用中に回収庫２４に集積されたリジェクト紙幣を回収庫回収動作前に抜き取るか否か、言い換えれば回収庫回収動作によって回収庫２４に集約する正常紙幣と混ざってもよいか否かを選択させることで、混合可否選択を許容する。
【００２１】
窓口対応者によって回収庫２４内の媒体が抜き取られる場合は（ステップＳ１０４：Ｙｅｓ）、窓口対応者による回収庫２４の手動抜き取りを許容し（ステップＳ１０５）、回収庫２４内の媒体が抜き取られない場合は（ステップＳ１０４：Ｎｏ）、そのまま次のステップへ処理を進める。このように集約回収処理としての回収庫回収動作前に回収庫２４内の媒体を抜き取る事により、回収庫２４内に残っているリジェクト紙幣と、後の回収庫回収動作にて識別部２２により正常と判断した紙幣とが混ざることを防止できる。
【００２２】
各収納庫２３ａ〜２３ｄ内に媒体がない場合（ステップＳ１０６：Ｎｏ）、窓口端末装置１は、紙葉類搬送装置２に対して回収庫回収動作を指示せずに精査（回収）処理を終了する。
【００２３】
各収納庫２３ａ〜２３ｄ内に媒体がある場合（ステップＳ１０６：Ｙｅｓ）、窓口端末装置１は、回収庫２４内に既に収納しているリジェクト紙幣と、回収庫回収動作の際に各収納庫２３ａ〜２３ｄから集約する紙葉類とを区別するための間仕切り紙を投入するかどうかを選択するための間仕切り紙投入有無選択画面２０４（図７（Ｅ）参照）を窓口端末装置１に表示し、窓口対応者に選択させる間仕切り紙要否選択を受け付ける（ステップＳ１０７）。
【００２４】
間仕切り紙を投入する場合（ステップＳ１０７：Ｙｅｓ）、窓口端末装置１は、回収庫回収動作前に窓口対応者によって入金口５に間仕切り紙が投入されることを受け付け（ステップＳ１０８）、紙葉類搬送装置２に対して間仕切り紙入金動作を指示する（ステップＳ１０９）。この動作によって、紙葉類搬送装置２は、入金口５に投入された間仕切り紙を搬送路へ繰り出し搬送して回収庫２４に集積する間仕切り紙集積処理を実行する。
【００２５】
この間仕切り紙の入金動作が正常終了すれば（ステップＳ１１０：Ｙｅｓ）、窓口端末装置１は次のステップＳ１１１へ処理を進め、正常終了しなければ（ステップＳ１１０：Ｎｏ）、異常終了する。
【００２６】
窓口端末装置１は、各収納庫２３ａ〜２３ｄ内の媒体を回収庫２４に移動させる際、識別部２２によりリジェクトと判断した紙幣の搬送先を窓口対応者に選択させるリジェクト紙幣搬送先指定画面２０５（図７（Ｆ）参照）を表示し、搬送先を記憶する（ステップＳ１１１）。このリジェクト紙幣搬送先指定画面２０５では、出金口ボタンと回収庫ボタンを表示し、いずれか一方を操作入力させることで、搬送先として出金口６と回収庫２４のいずれか一方を選択させる。
【００２７】
窓口端末装置１は、紙葉類搬送装置２に対し、集約回収処理としての回収庫回収動作を指示する（ステップＳ１１２）。この指示を受けると、紙葉類搬送装置２は、全ての収納庫２３ａ〜２３ｄに収納している全ての紙幣を、回収庫２４へ搬送して集積する回収庫回収動作を実行する。この回収庫回収動作の際、紙葉類搬送装置２は、各収納庫２３ａ〜２３ｄから繰り出した紙幣を識別部２２で識別し、正常紙幣は回収庫２４に搬送して集約する、識別結果がリジェクト紙幣であれば、ステップＳ１１１で選択された搬送先（出金口６と回収庫２４のいずれか一方）へ搬送する。
【００２８】
窓口端末装置１は、回収庫回収動作が終了すると、動作結果を参照し、動作結果が異常であれば（ステップＳ１１３：Ｎｏ）、異常終了する。動作結果が正常終了であれば（ステップＳ１１３：Ｙｅｓ）、窓口端末装置１は、紙葉類搬送装置２内の各収納庫２３ａ〜２３ｄ及び回収庫２４内の媒体有無の状態を取得し（ステップＳ１１４）、その状態を記憶する（ステップＳ１１５）。
【００２９】
窓口端末装置１は、取得した媒体有無の状態から判断して回収庫２４が満杯であれば（ステップＳ１１６：Ｙｅｓ）、中断情報として窓口対応者に回収庫２４から媒体を取り出す事を通知するための回収庫媒体取出要求画面２００（図７（Ａ）参照）を表示する中断情報報知処理を行い、窓口対応者に回収庫２４から媒体を抜き取らせる（ステップＳ１１７）。
【００３０】
出金口６の状態が満杯であれば（ステップＳ１１８：Ｙｅｓ）、窓口端末装置１は、中断情報として窓口対応者に対して出金口６から媒体を取り出す事を促す文言を表示する出金口媒体抜取要求画面２０２（図７（Ｃ）参照）を表示する中断情報報知処理を行い、窓口対応者に出金口６からの媒体の抜取を実行させる（ステップＳ１１９）。このとき、窓口端末装置１は、紙葉類搬送装置２に対し、出金口シャッタオープンを指示し、窓口対応者が出金口６から媒体を抜き取ることを許容する。
【００３１】
このように回収庫２４及び出金口６の媒体状態を窓口対応者に通知し、媒体の取り出しを促すことにより、各収納庫２３ａ〜２３ｄの媒体がなくなるまで継続して回収庫回収動作を行うことができる。この回収庫回収動作において、紙葉類搬送装置２は、各収納庫２３ａ〜２３ｄに収納されている紙幣のサイズが異なっていても、これらの異サイズ紙幣を１つの回収庫２４にまとめて集積し集約することができる。
【００３２】
窓口端末装置１は、各収納庫２３ａ〜２３ｄの媒体有無を確認し、媒体があれば（ステップＳ１２０：Ｙｅｓ）、窓口対応者に対し、回収継続情報として回収庫回収動作を継続する事を通知する回収継続通知画面２０１（図７（Ｂ）参照）を表示する回収継続情報を行う。窓口端末操作１は、紙葉類搬送装置２に対し、回収庫回収動作を指示する（ステップＳ１１２）。これ以降、窓口端末装置１は、各収納庫２３ａ〜２３ｄ内に媒体がなくなるまで、ステップＳ１１２〜ステップＳ１２０を繰り返す。
【００３３】
各収納庫２３ａ〜２３ｄに媒体がなくなれば（ステップＳ１２０：Ｎｏ）、窓口端末装置１は、出金口６の媒体状態を判断し、出金口６に媒体があれば（ステップＳ１２１：Ｙｅｓ）、窓口対応者が出金口６から媒体を取り出す事を促す文言を示す出金口媒体抜取要求画面２０２（図７（Ｃ）参照）を窓口端末装置１に表示し、出金口６からの媒体の抜取を窓口対応者に実施させる（ステップＳ１２２）。窓口端末装置１は、紙葉類搬送装置２に対し、出金口シャッタオープンを指示し、窓口対応者が出金口６から媒体を取り出すことを許容する。
【００３４】
以上の構成および動作により、精査時（回収時）に各収納庫２３ａ〜２３ｄ内の全ての紙幣を、回収庫２４及び出金口６へ搬送し、各収納庫２３ａ〜２３ｄを空にすることができる。これにより、紙幣の抜取りは回収庫２４及び出金口６からのみとし、抜き取る手間を最小限に抑える事ができる。
【００３５】
また、通常の運用中に識別部２２で払い出しに適さないと判断した紙葉類を回収する回収庫２４を、業務終了時に行う回収庫回収動作で各収納庫２３ａ〜２３ｄの紙幣の回収にも使用するため、紙幣カセット（収納庫２３ａ〜２３ｄや回収庫２４など）を増加させることなく、設けられている紙幣カセットを有効活用できる。このため、紙葉類搬送装置２のサイズの大型化を防止できる。
【００３６】
また、回収庫回収動作の際に識別部２２により金種判別できなかった紙幣を出金口６に搬送して分離する事が可能となる。これにより、正常紙幣とリジェクト紙幣が混ざることを防止できる。
【００３７】
回収庫２４は、回収庫回収動作の際に、異サイズ紙幣を詰まり無く集積して片寄せ状態で押圧板５０上に積層できるため、収納庫２３ａ〜２３ｄに収納されている紙幣サイズに関わらずまとめて集約することができる。これにより、日本紙幣よりもサイズ差の大きい外国紙幣を適切に取り扱うことができる。また、この回収庫回収動作の際に押圧板５０上に紙幣を整列状態で積層することによって、回収庫２４内に多量の紙幣を集積することができる。
【００３８】
回収庫回収動作の際に、リジェクト紙幣を回収庫２４と出金口６のどちらに搬送するかステップＳ１１１で選択させ、これに従ってリジェクト紙幣を搬送するため、用途に応じた運用が可能となる。つまり、リジェクト紙幣を正常紙幣と混ぜても良い場合は、回収庫２４に正常紙幣とまとめて回収することができ、リジェクト紙幣と正常紙幣を分けたい場合は、正常紙幣を回収庫２４に回収してリジェクト紙幣を出金口６へ集積してそれぞれ分離して回収することができる。
【００３９】
また、回収庫残存通知画面２０３の表示によって、既に回収庫２４に集積しているリジェクト紙幣とこれから集約する正常紙幣とが混ざって良いか窓口対応者に確認させることができる。これにより、混ざってはいけない場合に、窓口対応者が回収庫２４を抜き取ってリジェクト紙幣を取り出せ、混ざってよい場合にそのまま回収庫回収動作を実行できる。
【００４０】
また、回収庫２４に既に集積されているリジェクト紙幣と、回収庫回収動作で集約する正常紙幣との間に間仕切り紙を挟むことができるため、リジェクト紙幣と正常紙幣とを明瞭に分離することができる。また、この間仕切り紙を挿入するか否か窓口担当者が選択できるため、用途に応じた運用ができる。つまり、例えばリジェクト紙幣と正常紙幣が混ざってはいけなければ、間仕切り紙を使用して分離でき、混ざってもよければ間仕切り紙を使用せずに回収作業を容易にできる。
【００４１】
また、間仕切り紙は、入金口５に投入させて、これを搬送して使用する構成であるため、間仕切り紙専用の構造体が不要であり、低コストで簡便に実現することができる。
【００４２】
また、回収庫２４が満杯になった場合や出金口６が満杯になった場合に、回収庫回収動作を一時的に中断して回収庫媒体取出要求画面２００によって回収庫２４や出金口６から紙幣の取り出しを求めるため、紙幣を集積しすぎて紙詰まりを起こすことを防止できる。また、このように回収庫２４や出金口６から満杯の紙幣の取り出しを行っても収納庫２３ａ〜２３ｄに未だ紙幣が残っている場合、回収庫残存通知画面２０３を表示することで、紙幣が残存していて回収庫回収動作がまだ必要であることを通知でき、回収庫回収動作を継続できる。
【００４３】
このような紙葉類取扱装置１０により、現状の機器構成を保ちつつ、窓口対応者の精査（紙葉類の取り出し）の負担を軽減する事が可能となる。
【００４４】
なお、回収庫回収動作は、各収納庫２３ａ〜２３ｄに集積されている紙幣を、１つの収納庫単位で回収庫２４に集約する構成にすることが好ましい。この場合、回収庫２４に集約した紙幣を回収する際に、金種別にまとまった状態で回収でき、回収後の仕分け作業などを容易にすることができる。
【００４５】
なお、この発明は、上述の実施形態の構成のみに限定されるものではなく、多くの実施の形態を得ることができる。
【図面の簡単な説明】
【００４６】
【図１】紙葉類取扱装置の構成図。
【図２】紙葉類搬送装置の概略構成図。
【図３】回収庫の概略構成図。
【図４】紙葉類搬送装置の制御ブロック図。
【図５】回収時の窓口端末装置の動作を示すフローチャート。
【図６】回収時の窓口端末装置の動作を示すフローチャート。
【図７】窓口端末装置の表示部に表示する係員操作通知画面のイメージ図。
【符号の説明】
【００４７】
１ａ…表示部、１ｂ…入力部、５…入金口、６…出金口、１０…紙葉類取扱装置、２０…制御部、２２…識別部、２３ａ〜２３ｄ…収納庫、２４…回収庫、２５〜３４…各種搬送路、３６…ゲート
【図１】
2010129002.tif 000003
【図２】
2010129002.tif 000004
【図３】
2010129002.tif 000005
【図４】
2010129002.tif 000006
【図５】
2010129002.tif 000007
【図６】
2010129002.tif 000008
【図７】
2010129002.tif 000009